(57)【特許請求の範囲】
【請求項１】
扉と枠を備え、扉は、金属製の室内側パネルと、戸先側端部に上下に亘って設けた樹脂フレームを有し、樹脂フレームはその内部の室外側に補強材を、室内側に樹脂フレームと別体の断熱材を有し、室内側パネルは、戸先側端部を樹脂フレームの室内側端部に取り付けてあり、枠に設けたタイト材が室内側パネルの戸先側端部に当接していることを特徴とするドア。
【発明の詳細な説明】
【技術分野】
【０００１】
本発明は、ドアに関する。
【背景技術】
【０００２】
特許文献１には、扉の四周に設けた金属製のフレームに金属製の室内パネルと室外パネルを設け、四周の各フレームに補強材を設けることが開示されている。
【先行技術文献】
【特許文献】
【０００３】
【特許文献１】実公昭６０−２３４３２号公報
【発明の概要】
【発明が解決しようとする課題】
【０００４】
しかし、従来の断熱ドアでは、フレーム及び補強材を伝って熱が室内側に逃げる為、フレームや補強材の部分も断熱した断熱性の高いドアが求められていた。  
【０００５】
そこで、本発明は、補強材を用いつつより断熱性の高いドアの提供を目的とする。  
【課題を解決するための手段】
【０００６】
請求項１に記載の発明は、扉と枠を備え、扉は、金属製の室内側パネルと、戸先側端部に上下に亘って設けた樹脂フレームを有し、樹脂フレームはその内部の室外側に補強材を、室内側に樹脂フレームと別体の断熱材を有し、室内側パネルは、戸先側端部を樹脂フレームの室内側端部に取り付けてあり、枠に設けたタイト材が室内側パネルの戸先側端部に当接していることを特徴とするドアである。
【発明の効果】
【０００７】
請求項１に記載の発明によれば、扉の戸先側端部のフレームを樹脂製にしたので、フレームを伝って熱が逃げることを防止できる。  
また、補強材は、外周側を樹脂フレームで覆い、且つ樹脂フレームの室外側内部に設けてあり、その室内側には断熱材を設けているから補強材を伝った熱を断熱材で遮断することができる。  
更に、枠に設けたタイト材が室内側パネルの戸先側端部に当接することで、断熱性を高めることができる。  
【図面の簡単な説明】
【０００８】
【図１】本発明の実施の形態にかかるドアを図４に示すＢ−Ｂ位置で切断した断面図である。
【図２】本発明の実施の形態にかかるドアを図４に示すＣ−Ｃ位置で切断した断面図である。
【図３】本発明の実施の形態にかかるドアを図５に示すＡ−Ａ位置で切断した断面図である。
【図４】本発明の実施の形態にかかるドアを室内側から見た正面図である。
【図５】本発明の実施の形態にかかるドアを室外側から見た正面図である。
【発明を実施するための形態】
【０００９】
以下に、添付図面を参照して本発明の実施の形態を説明する。  
本発明の実施の形態にかかるドア１は、図４及び図５に示すように、枠３と扉５とを備えている。  
図１及び図３に示すように、枠３は、上枠７、下枠９、戸当り枠１１及び吊元枠１３を枠組みしてあり、上枠７、戸当り枠１１、吊元枠１３は、各々室外側枠部１５と室内側枠部１７とを断熱樹脂材１９で連結してある。各室外側枠部１５と室内側枠部１７は、アルミ形材製である。  
上枠７、戸当り枠１１、吊元枠１３の室内側枠部１７には、タイト材２２が取り付けてあり、扉５の室内側面部に当接しており、下枠９にも室内側部に扉５の室内側面部に当接するタイト材２２が取り付けてある。  
【００１０】
図１、図２に示すように、扉５は、扉５の四周に設けた樹脂製枠２９と、樹脂製枠２９の室内側に設けた室内側パネル３１と、樹脂製枠２９の室外側に設けた室外側パネル３３とを備えている。樹脂製枠２９は、扉の戸先側端部５ａに上下に亘って設けた戸先側樹脂フレーム２１と、扉の吊元側端部５ｂに上下に亘って設けた吊元側樹脂フレーム２３と、扉５の上端部５ｃに左右方向に亘って設けた上樹脂フレーム２７と、扉５の下端部５ｄに左右方向に亘って設けた下樹脂フレーム２５とで構成してある。  
尚、図４及び図５に示すように、扉５は窓付扉であり、扉５には窓３５とその室外側に網戸格子３７とが設けてある。窓３５は内開き窓である。  
【００１１】
図１に示すように、戸先側樹脂フレーム２１は外周側壁部２１ａと、外周側壁部２１ａの室外側で内周側に突設する室外側壁部２１ｂと、外周側壁部２１ａの室内側で内周側に突設する室内側壁部２１ｃとを有し、外周側壁部２１ａと室外側壁部２１ｂと室内側壁部２１ｃとで横断面が略コ字形状でこれらに囲まれる内部２８を形成している。  
同様に、吊元側樹脂フレーム２３も、外周側壁部２３ａと室外側壁部２３ｂと室内側壁部２３ｃとで横断面が略コ字形状を成し、下樹脂フレーム２５は、外周側壁部２５ａと室外側壁部２５ｂと室内側壁部２５ｃとで縦断面が略コ字形状を成し、上樹脂フレーム２７は外周側壁部２７ａと室外側壁部２７ｂと室内側壁部２７ｃとで縦断面が略コ字形状を成している。  
窓３５は、上枠４１、下枠４３、左右の縦枠４５を有し、これらの各枠４１、４３、４５は、室外側枠部４７と室内側枠部４９とを断熱樹脂材３９で連結してある。各室外側枠部４７と室内側枠部４９は、アルミ形材製である。  
【００１２】
図１に示すように、戸先側樹脂フレーム２１には、室外側壁部２１ｂと室内側壁部２１ｃとの間の内部２８において、室外側に補強材５１、室内側に断熱材５３が設けてある。  補強材５１は、スチール材であり、外周側壁部５１ａと、室外側壁部５１ｂと、室内側壁部５１ｃとで横断面がコ字形状を成している。補強材５１の外周側壁部５１ａは戸先側樹脂フレーム２１の外周側壁部２１ａに重ねてねじ５３で固定してある。また、補強材５１の室外側壁部５１ｂは戸先側樹脂フレーム２１の室外側壁部２１ｂに重ねてある。  
断熱材５３は、例えば発泡樹脂材であり、補強材５１の室内側壁部５１ｃと戸先側樹脂フレーム２１の室内側壁部２１ｃとの間に配置してある。  
補強材５１の外周側壁部５１ａと、室外側壁部５１ｂと、室内側壁部５１ｃとで囲まれる内部は空間にしてある。  
【００１３】
吊元側樹脂フレーム２３には、外周側壁部２３ａと室外側壁部２３ｂと室内側壁部２３ｃとに沿って横断面がコ字形状を成す吊元側補強材５７が設けてあり、この吊元側補強材の内部には室外側壁部５７ｂと室内側壁部５７ｃとの間に断熱材５９が設けてある。  
【００１４】
室内側パネル３１は、戸先側端部３１ａを室外側に折り曲げてあり、戸先側樹脂フレーム２１の室内側端部２１ｄに係合して取り付けてある。この室内側端部２１ｄには、室内側パネル３１の戸先側端部３１ａを挿入して係合する溝部を形成してある。  
室内側パネル３１の吊元側端部３１ｂは室外側に折り曲げてあり、戸先側端部３１ａと同様に、吊元側樹脂フレーム２３の外周側壁部２３ａの室内側端部２３ｄに係合して、取り付けてある。  
図３に示すように、室内側パネル３１の上端部３１ｃは室外側へ折り曲げてあり、樹脂材製の上補助板５５ａで上樹脂フレーム２７の外周面に押さえてある。室内側パネル３１の下端部３１ｄは室外側へ折り曲げてあり、樹脂材製の下補助板５５ｂで上樹脂フレーム２７の外周面に押さえてある。  
室内側パネル３１の窓３５の周囲部分では、窓の上枠４１、下枠４３、左右の縦枠４５の各室内側部４９で押えてねじ５４で固定してある。  
【００１５】
図１及び図３に示すように、戸当り枠１１の室内側枠部１７に設けたタイト材２２は、室内側パネル３１の戸先側端部３１ａに当接しており、同様に吊元枠１３、上枠７の室内側枠部１７及び下枠９に設けたタイト材２２も各々室内側パネル３１の対応する端部に当接している。  
【００１６】
室外側パネル３３は、各端部を室内側に折り曲げて各フレーム２１、２３、２５、２７の室外側端部に取り付けてある。  
尚、図１及び図４に示すように、窓３５の吊元側で上下方向中間部には、窓３５の障子３５ａを開閉する取手６１が設けてあり、図２及び図４に示すように、取手６１の上下にはロック部６３が設けてある。  
また、図１〜図３に示すように、扉５の室内側パネル３１と室外側パネル３３間で、窓３５を除く樹脂製枠２９の内周側には、断熱材６５が設けてある。  
【００１７】
次に、第１実施の形態にかかるドア１の作用及び効果について説明する。  
扉５の戸先側端部５ａの戸先側フレーム２１を樹脂製にしたので、その戸先側樹脂フレーム２１を伝って熱が逃げることを防止できる。  
また、補強材５１は、外周側を戸先側樹脂フレーム２１で覆い、且つ戸先側樹脂フレーム２１の室外側内部に設けてあり、その室内側には断熱材５３を設けているから補強材５１を伝った熱を断熱材５３で遮断することができる。更に、戸当り枠１１に設けたタイト材２２が室内側パネル３１の戸先側端部３１ａに当接することで、断熱性を高めることができる。補強材５１の外周側壁部５１ａと、室外側壁部５１ｂと、室内側壁部５１ｃとで囲まれる内部は空間にしてあるから、扉５の戸先側端部に設けるラッチやロック等の部品を入れ易い。  
室内側パネル３１は、戸先側端部３１ａを戸先側樹脂フレーム２１の室内側端部に設けた室内側端部２１ｄに係合して取り付けているので、組み付けが容易にできる。  
【００１８】
本発明は、上述した実施の形態に限らず、本発明の要旨を逸脱しない範囲で種々変形可能である。  
例えば、ドア１の扉５は、窓３５が付いた扉に限らず、窓３５のないドアであっても良い。  
【符号の説明】
【００１９】
１    ドア
５    扉
２１  戸先側樹脂フレーム
２１ｄ  室内側端部
２２  タイト材
２８  内部
３１  室内側パネル
３１ａ  戸先側端部
５１  補強材
【図１】
0006494365.tif 000002
【図２】
0006494365.tif 000003
【図３】
0006494365.tif 000004
【図４】
0006494365.tif 000005
【図５】
0006494365.tif 000006